(57)【特許請求の範囲】
【請求項１】
記録媒体に記録されたデータを読み出す読出手段と、
前記読出手段により読み出したデータを表す電気信号を発光素子の発光による光信号に変換して出力する光信号出力端子と、
前記読出手段が読み出したデータを表す電気信号を前記発光素子に対し選択的に出力する出力選択手段と、
前記光信号出力端子の凹部に接続部を嵌合することにより接続されて、前記光信号を外部機器に伝送する光信号伝送媒体と、
装置全体を制御する制御手段とを備え、
前記光信号出力端子に、光信号を受光したときに電気信号を出力する受光素子が前記発光素子に並設されてなり、
前記光信号伝送媒体に、前記発光素子から入射した光を前記受光素子に受光させる向きに反射する反射部が配設され、
前記制御部は、前記受光素子からの電気信号の入力の有無を判別する判別機能と、前記受光素子から電気信号が入力したと判別した場合に限り前記読出手段が読み出したデータを表す電気信号を前記発光素子に対し供給させるように前記出力選択手段を制御する制御機能とを有していることを特徴とするデータ再生装置。
【請求項２】
所定間隔で電気信号を出力する電気信号出力手段を備え、
前記制御部は、
前記出力選択手段に対し前記電気信号出力手段の電気信号を前記発光部に対し供給するよう制御したのちに、前記受光素子からの電気信号の入力の有無を判別して、前記受光素子から電気信号が入力したと判別したときに前記読出手段が読み出したデータを表す電気信号を前記発光素子に対し供給させ、且つ前記受光素子から電気信号が入力しなかったと判別したときに前記電気信号出力手段からの電気信号を前記発光素子に対し出力する動作を継続させるように前記出力選択手段を制御する構成になっている請求項１に記載のデータ再生装置。
【発明の詳細な説明】
【０００１】
【発明の属する技術分野】
本発明は、ＣＤ又はＤＶＤなどの記録媒体に記録された音声または画像などのデータを再生するデータ再生装置に関する。
【０００２】
【従来の技術】
ＣＤ、ＤＶＤ、又はＤＡＴ等の記録媒体に記録された音声又は画像等のデジタルデータを読み出し、読み出したデジタルデータを再生する再生装置がある。特開平２−２８０５４２号公報には、光信号出力端子を備えた再生装置が開示されており、この種の再生装置では、読み出したデジタルデータを表す電気信号を、光信号出力端子に内蔵される発光素子により光信号へ変換し、光ケーブルを介して他の機器に光信号を送信することができるようになっている。
【０００３】
【発明が解決しようとする課題】
ところが、上述の如き従来の再生装置では、光ケーブルが光信号出力端子に接続されたことを検出することができないため、データの再生時には、常に発光素子を動作させて光信号を出力できる状態としてあり、しかもデータの再生を行っていない時には、発光素子を発光させた状態としてあるので、光信号出力端子を使用しない場合に電力ロスが大きく、また動作する必要がない場合にも発光素子を動作させることにより、発光素子の寿命が短くなるという問題があった。
【０００４】
本発明は斯かる事情に鑑みてなされたものであり、光信号出力端子に光信号伝送媒体が接続されている場合に限り読出手段が読み出したデータを表す電気信号を発光素子に供給するようにすることにより、発光素子の発光動作を低減して、消費電力の低減および発光素子の劣化を防止することが可能なデータ再生装置を提供することを目的とするものである。
【０００５】
【課題を解決するための手段】
請求項１に係る発明のデータ再生装置は、記録媒体に記録されたデータを読み出す読出手段と、前記読出手段により読み出したデータを表す電気信号を発光素子の発光による光信号に変換して出力する光信号出力端子と、前記読出手段が読み出したデータを表す電気信号を前記発光素子に対し選択的に出力する出力選択手段と、前記光信号出力端子の凹部に接続部を嵌合することにより接続されて、前記光信号を外部機器に伝送する光信号伝送媒体と、装置全体を制御する制御手段とを備え、前記光信号出力端子に、光信号を受光したときに電気信号を出力する受光素子が前記発光素子に並設されてなり、前記光信号伝送媒体に、前記発光素子から入射した光を前記受光素子に受光させる向きに反射する反射部が配設され、前記制御部は、前記受光素子からの電気信号の入力の有無を判別する判別機能と、前記受光素子から電気信号が入力したと判別した場合に限り前記読出手段が読み出したデータを表す電気信号を前記発光素子に対し供給させるように前記出力選択手段を制御する制御機能とを有していることを特徴としている。
【０００６】
上記発明のデータ再生装置によれば、光信号出力端子に光信号伝送媒体が接続されたと判別した場合に限り読出手段が読み出したデータを表す電気信号を前記発光素子に対し供給するので、発光素子の発光動作を低減して、消費電力の低減および発光素子の劣化を防止することが可能となる。
【０００７】
また、請求項２に係る発明のデータ再生装置は、請求項１の発明において、所定間隔で電気信号を出力する電気信号出力手段を備え、前記制御部は、前記出力選択手段に対し前記電気信号出力手段の電気信号を前記発光部に対し供給するよう制御したのちに、前記受光素子からの電気信号の入力の有無を判別して、前記受光素子から電気信号が入力したと判別したときに前記読出手段が読み出したデータを表す電気信号を前記発光素子に対し供給させ、且つ前記受光素子から電気信号が入力しなかったと判別したときに前記電気信号出力手段からの電気信号を前記発光素子に対し出力する動作を継続させるように前記出力選択手段を制御する構成になっている。
【０００８】
この発明によれば、読出手段からデータを表す電気信号が出力されていない場合においても、光信号出力端子に光信号伝送媒体が接続されているか否かを判別することができ、接続されていない場合には、発光頻度が少なくなる一定間隔の電気信号を発光素子に供給するので、発光素子の発光頻度が読出手段からデータを表す電気信号が供給される場合に比して少なくなるから、消費電力を低減できるとともに発光素子の劣化を防止することができる。
【０００９】
以下、本発明をその実施の形態を示す図面に基づいて詳述する。図１は本発明に係るデータ再生装置の構成を示すブロック図である。再生装置は、ＤＶＤであるディスク２からデータを読み出すピックアップ３を備えている。ピックアップ３により読み出された信号は、ＲＦアンプ４によりデジタルデータに変換されて、デジタル信号処理部５に与えられる。デジタル信号処理部５ではＲＦアンプ４から入力したデジタルデータに対して誤り訂正等の処理を行い、ストリーム分離回路６に与える。
【００１０】
ストリーム分離回路６は、デジタル信号処理回路５から与えられたデジタルデータを、ビデオ、オーディオ、及び字幕情報等のサブピクチャの各ビートストリームに分離する。ビデオビットストリームは、ＭＰＥＧ２デコーダ回路７に入力される。このビデオビットストリームは、ＭＰＥＧ２方式により圧縮符号化されており、ＭＰＥＧ２デコーダ回路７では、ビデオビットストリームを伸張して復号化処理することにより、ビデオビットストリームをデジタルビデオ信号へ変換し、このデジタルビデオ信号がビデオ合成回路８の一方の入力端子に入力される。
【００１１】
ストリーム分離回路６から出力されたサブピクチャビットストリームは、サブピクチャデコーダ回路９に入力され、伸張処理が施されてデジタルサブピクチャ信号とされた後、ビデオ合成回路８の他方の入力端子に入力される。ビデオ合成回路８に入力されたデジタルビデオ信号には、このビデオ合成回路８に入力されたデジタルサブピクチャ信号が合成され、これによって得られたデジタルビデオ信号がＮＴＳＣデコーダ回路１０へ出力される。ＮＴＳＣデコーダ回路１０は、入力したデジタルビデオ信号を、ＮＴＳＣ方式の映像を表すデジタル信号へ変換し、これがＤ／Ａ変換器１１によってＤ／Ａ変換されて、アナログ出力端子１２から出力される。
【００１２】
一方、ストリーム分離回路６から出力されたオーディオビットストリームは、ＡＣ−３デコーダ回路１３に入力される。オーディオビットストリームは、ＡＣ−３方式により圧縮符号化されており、ＡＣ−３デコーダ回路１３では、オーディオビットストリームを伸張して復号化処理することにより、オーディオビットストリームをデジタルオーディオ信号へ変換する。このようにして得られたデジタルオーディオ信号は、ＡＣ−３デコーダ１３に接続されたＤ／Ａ変換器１４に入力されてＤ／Ａ変換され、アナログ出力端子１５から出力されると共に、ＡＣ−３デコーダ回路１３及びＤ／Ａ変換器１４間の中間節点に、出力選択回路２１を介して接続された光信号出力端子１６によって光信号へ変換され、外部へ出力される。
【００１３】
光信号出力端子１６には、光ケーブル１７の一端が接続されており、この光ケーブル１７の他端には、パワーアンプ１８が接続されている。また、パワーアンプ１８の出力はスピーカ１９に与えられており、パワーアンプ１８によって光信号が電気信号へ復調され、この電気信号がＤ／Ａ変換された後にスピーカ１９に与えられて、スピーカ１９から可聴音として再生される。また、データ再生装置１は、ＣＰＵ及びＲＡＭ等からなる制御部２０を備えており、図示しない操作パネルをユーザが操作することによって与えられた指示を受け付け、この指示に従って再生処理または停止処理等の各種処理を実行するようになっている。そして、制御部２０は光信号出力端子１６に接続されており、後述する受光素子１６ｃが受光したか否かを判別することができるようになっている。
【００１４】
前記出力選択回路２１は、制御部２０に接続されており、制御部からの制御信号に応じて、光信号出力端子１６に与えられる信号を、ＡＣ−３デコーダ回路１３の出力信号、または発振回路２２から出力される１秒間隔のパルス信号の内の一方とすべく、出力信号の切り換えを行うようになっている。なお、発振回路２２が１秒間隔のパルス信号を出力するようにしたが、発振回路２２が出力するパル信号の周波数がこれに限らないことは言うまでもない。
【００１５】
図２は、光信号出力端子１６と光ケーブル１７との接続状態を示す断面図である。光ケーブル１７は、光ファイバを心線としてその外周部に被覆部が設けられた構成になっており、一端に接続部１７ａが設けられている。この接続部１７ａは、先端に外形が他の部分よりも細くしてある挿入部１７ｂを有している。また、接続部１７ａの先端面には、円錐台形状に窪んだ状態の反射部１７ｃが設けられており、この反射部１７ｃの表面は鏡面とされている。また、反射部１７ｃの奥部には、光ファイバの先端が露出している。
【００１６】
一方、光信号出力端子１６は、光ケーブル１７の挿入部１７ｂと略同寸の形状を有する凹部１６ａを有しており、この凹部１６ａの奥部には、発光素子１６ｂおよび受光素子１６ｃを、各々発光側および受光側を開口に臨むように配してある。光ケーブル１７は、挿入部１７ｂを光信号出力端子１６の凹部１６ａに挿入することによって、光信号出力端子１６に接続する。光信号出力端子１６の発光素子１６ｂは、電気信号が入力されたときに、この電気信号に応じて発光する。光信号出力端子１６と光ケーブル１７とが接続されているとき、発光素子１６ｂから発せられた光は、反射部１７ｃによって反射され、受光素子１６ｃがこの反射光を受光する。受光素子１６ｃは、受光に応じた電気信号を出力するようになっており、受光素子１６ｃから出力された電気信号は、制御部２０に入力され、これによって受光素子１６ｃの受光が検出される。
【００１７】
光ケーブル１７が、光信号出力端子１６と接続されていないときには、発光素子１６ｂが発した光が反射されず、受光素子１６ｃが受光しない。従って、制御部２０が受光素子１６ｃの受光を検出したときには、光信号出力端子１６と光ケーブル１７とが接続されていると判断することができ、制御部２０が受光素子１６ｃの受光を検出していないときには、光信号出力端子１６と光ケーブル１７とが接続されていないと判断することができる。
【００１８】
つぎに、制御部２０の光信号出力端子１６と光ケーブル１７との接続を検出する処理の処理手順を説明する。図３は、制御部２０の処理手順を示すフローチャートである。受光素子１６が受光したか否かを判別し（ステップ１）、受光素子１６ｃが受光した場合には、出力選択回路２１の出力信号を、ＡＣ−３デコーダ回路１３の出力信号とし（ステップ２）、受光素子１６ｃが受光していない場合には、出力選択回路２１の出力信号を、発振回路２２が出力するパルス信号として（ステップ３）、ステップ１からの処理を繰り返す。
【００１９】
なお、上記実施形態では、データ再生装置をＤＶＤの再生を行う構成としたが、これに限らず、例えば、ＣＤ、ＭＤまたはＤＡＴ等のデータ再生装置としてもよいことは言うまでもない。
【００２０】
以上の如き構成により、光信号出力端子１６と光ケーブル１７との接続を検出することができ、光信号出力端子１６と光ケーブル１７とが接続されている場合に、ＡＣ−３デコーダ回路１３からの出力信号を光信号として出力し、光信号出力端子１６と光ケーブル１７とが接続されていない場合には、所定間隔で発光素子１６ｂを発光させる。したがって、光信号出力端子１６と光ケーブル１７とが接続されていない場合には、発光素子１６ｂの動作を少なくすることができ、従来に比して消費電力を低減することができる。また、発光素子１６ｂの動作を少なくするため、発光素子１６ｂの劣化を防止することが可能となる。
【００２１】
【発明の効果】
以上詳述したように、請求項１に係る発明のデータ再生装置によれば、光信号出力端子に光信号伝送媒体が接続されたと判別した場合に限り読出手段が読み出したデータを表す電気信号を前記発光素子に対し供給するので、発光素子の発光動作を低減して、消費電力の低減および発光素子の劣化を防止することが可能となる。
【００２２】
また、請求項２に係る発明にのデータ再生装置によれば、読出手段からデータを表す電気信号が出力されていない場合においても、光信号出力端子に光信号伝送媒体が接続されているか否かを判別することができ、接続されていない場合には、発光頻度が少なくなる一定間隔の電気信号を発光素子に供給するので、発光素子の発光頻度が読出手段からデータを表す電気信号が供給される場合に比して少なくなるから、消費電力を低減できるとともに発光素子の劣化を防止することができる。
【００２３】
また、再生装置１はＣＰＵ及びＲＡＭ等からなる制御部２０を備えており、図示しない操作パネルをユーザが操作することによって与えられた指示を受け付け、この指示に従って再生処理又は停止処理等の各種処理を行うようになっている。そして、制御部２０は光信号出力端子１６に接続されており、後述する受光素子１６ｃが受光したか否かを判別することができるようになっている。
【００２４】
前記出力選択回路２１は、制御部２０に接続されており、制御部２０からの制御信号に応じて、光信号出力端子１６に与える信号を、ＡＣ−３デコーダ回路１３の出力信号、又は発振回路２２から出力される１秒間隔のパルス信号の内の一方とすべく、出力信号の切り換えを行うようになっている。
【００２５】
なお、発振回路２２が１秒間隔のパルス信号を出力する構成としたが、発振回路２２が出力するパルス信号の周波数がこれに限らないことはいうまでもない。
【００２６】
図２は、本発明に係る光通信装置の構成を示す断面図である。光ケーブル１７は、光ファイバを心線としてその外周部に被覆部が設けられた構造となっており、一端に接続部１７ａが設けられている。この接続部１７ａは、先端に外形が他の部分より細くなしてある挿入部１７ｂを有している。また接続部１７ａの先端面には、円錐台形状に窪んだ状態の反射部１７ｃが設けられており、この反射部１７ｃの表面は鏡面とされている。また、反射部１７ｃの奥部には、光ファイバの先端が露出している。
【００２７】
一方、光信号出力端子１６は、光ケーブル１７の挿入部１７ｂと略同寸の形状を有する凹部１６ａを有しており、この凹部１６ａの奥部には、発光素子１６ｂ及び受光素子１６ｃを、夫々発光側及び受光側を開口に臨むように配してある。
【００２８】
光ケーブル１７は、挿入部１７ｂを光信号出力端子１６の凹部１６ａに挿入することによって、光信号出力端子１６に接続する。光信号出力端子１６の発光素子１６ｂは、電気信号が入力されたときに、この電気信号に応じて発光する。光信号出力端子１６と光ケーブル１７とが接続されているとき、発光素子１６ｂから発せられた光は、反射部１７ｃによって反射され、受光素子１６ｃがこの反射光を受光する。受光素子１６ｃは、受光に応じた電気信号を出力するようになっており、受光素子１６ｃから出力された電気信号は、制御部２０に入力され、これによって受光素子１６ｃの受光が検出される。
【００２９】
光ケーブル１７が、光信号出力端子１６と接続されていないときには、発光素子１６ｂが発した光が反射されず、受光素子１６ｃが受光しない。従って、制御部２０が受光素子１６ｃの受光を検出したときには、光信号出力端子１６と光ケーブル１７とが接続されていると判断することができ、制御部２０が受光素子１６ｃの受光を検出していないときには、光信号出力端子１６と光ケーブル１７とが接続されていないと判断することができる。
【００３０】
次に、制御部２０の光信号出力端子１６と光ケーブル１７との接続を検出する処理の処理手順を説明する。図３は、制御部２０の処理手順を示すフローチャートである。受光素子１６ｃが受光したか否かを判別し（ステップ１）、受光素子１６ｃが受光した場合には、出力選択回路２１の出力信号を、ＡＣ−３デコーダ回路１３の出力信号とし（ステップ２）、受光素子１６ｃが受光していない場合には、出力選択回路２１の出力信号を、発振回路２２が出力するパルス信号として（ステップ３）、ステップ１からの処理を繰り返す。
【００３１】
なお、再生装置１をＤＶＤの再生を行う構成としたが、これに限らず、例えば、ＣＤ、ＭＤ、又はＤＡＴ等の再生装置としてもよいことはいうまでもない。
【００３２】
以上の如き構成により、光信号出力端子１６と光ケーブル１７との接続を検出することができ、光信号出力端子１６と光ケーブル１７とが接続されている場合に、ＡＣ−３デコーダ回路１３からの出力信号を光信号として出力し、光信号出力端子１６と光ケーブル１７とが接続されていない場合には、所定間隔で発光素子１６ｂを発光させる。従って、光信号出力端子１６と光ケーブル１７とが接続されていない場合には、発光素子１６ｂの動作を少なくすることができ、従来に比して消費電力を低減することができる。また、発光素子１６ｂの動作を少なくするため、発光素子１６ｂの劣化を防止することが可能となる。
【００３３】
【発明の効果】
以上詳述した如く、第１発明に係る光通信装置による場合は、光信号伝送媒体の端部に設けられた接続部に、入射された光を逆方向へ反射する反射部を設け、光信号出力端子に、受光素子を設けることによって、光信号伝送媒体の接続部を光信号出力端子に接続したときには、光信号出力端子の発光素子から発せられた光が光信号伝送媒体の反射部によって反射され、この反射光が光信号出力端子の受光素子で受光され、また光信号伝送媒体と光信号出力端子とを接続していないときには、光信号出力端子の受光素子が受光しないため、光信号伝送媒体と光信号出力端子との接続を検出することができる。
【００３４】
第２発明に係る光信号伝送媒体による場合は、接続部に、光信号伝送媒体の先端側から入射された光を逆方向へ反射する反射部を設けているため、前記接続部に接続された光信号出力端子の発光素子から発せられた光を、前記反射部が前記光信号出力端子へ反射し、これによって、前記光信号出力端子に光信号伝送媒体との接続を検出させることができる。
【００３５】
第３発明に係る光信号出力端子による場合は、発光素子に並設された受光素子を備えることによって、先端から入射された光を逆方向へ反射する接続部を備えた光信号伝送媒体が、この接続部を光信号出力端子の凹部に挿入させて、光信号出力端子に接続された場合、前記発光素子から発せられた光が反射され、この反射光を受光素子によって受光するため、このような光信号伝送媒体との接続を検出することができる。
【００３６】
第４発明に係る再生装置による場合は、判別手段が受光素子から電気信号が出力されていないと判別した場合に、出力手段が発光素子へ所定間隔で電気信号を出力し、これによって発光素子から前記所定間隔で光が発せられる。この光は、先端から入射された光を逆方向へ反射する接続部を備えた光信号伝送媒体が、光信号出力端子に接続された場合に反射され、前記光信号伝送媒体が光信号出力端子に接続されていない場合には反射されない。前記光信号伝送媒体が光信号出力端子に接続されている場合には、反射光が受光素子によって受光され、これによって受光素子から電気信号が出力されて、光信号出力端子に前記光信号伝送媒体が接続されたことが検出される。このとき、出力手段によって、読出手段が読み出したデータを表す電気信号が発光素子へ出力され、発光素子によって前記電気信号に応じた光が発せられて、前記光信号伝送媒体を介して接続された他の機器へ光信号が伝送される。
【００３７】
また、前記光信号伝送媒体が光信号出力端子に接続されていない場合には、受光素子が受光せず、受光素子からの電気信号が出力されないため、出力手段は発光素子への所定間隔での電気信号の出力を継続する。出力手段が所定間隔で電気信号を出力する状態は、読出手段によって読み出されたデータを表す電気信号を出力する状態に比して、発光素子の動作が少ないため、消費電力が小さく、従来に比して発光素子の劣化を低減することができる等本発明は優れた効果を奏する。
【図面の簡単な説明】
【図１】本発明に係るデータ再生装置の構成を示すブロック図である。
【図２】同上のデータ再生装置における光信号出力端子と光ケーブルとの接続状態を示す断面図である。
【図３】同上のデータ再生装置における制御部の処理手順を示すフローチャートである。
【符号の説明】
１  データ再生装置
２  ディスク
３  ピックアップ
４  ＲＦアンプ
５  デジタル信号処理回路
６  ストリーム分離回路
７  ＭＰＥＧ２デコーダ回路
８  ビデオ合成回路
９  サブピクチャデコーダ回路
１０  ＮＴＳＣデコーダ回路
１１  Ｄ／Ａ変換器
１２  アナログ出力端子
１３  ＡＣ−３デコーダ回路
１４  Ｄ／Ａ変換器
１５  アナログ出力端子
１６  光信号出力端子
１６ａ  凹部
１６ｂ  発光素子
１６ｃ  受光素子
１７  光ケーブル
１７ａ  接続部
１７ｂ  挿入部
１７ｃ  反射部
１８  パワーアンプ
１９  スピーカ
２０  制御部
２１  出力選択回路
２２  発振回路
【図１】
0003580494.tif 000002
【図２】
0003580494.tif 000003
【図３】
0003580494.tif 000004